(57)【要約】【課題】時間や材料費などのロスを発生させず、生産効率を向上させることができる製版用エッチング装置の補助装置を提供する。【解決手段】製版用エッチング装置の補助装置１０は、製版用エッチング装置１００に使用する装置であって、計量容器１１と、退避機構１３と、戻し機構１４と、噴射量調整器１５などとを備え、計量容器１１は、エッチングを行うために噴射されるエッチング液の噴射量を定量的に測定する容器であり、退避機構１３は、計量容器１１をレール上で移動させることができる機構であり、戻し機構１４は、計量容器１１に溜まったエッチング液を、１８０度反転させてエッチング槽に戻すための機構であり、噴射量調整器１５は、各スプレーノズル１０２の噴射口の手前の配管１０１に設けられ、各スプレーノズル１０２のエッチング液の噴射量を調整するものである。【選択図】図１
2006283050.tif 000002
【特許請求の範囲】
【請求項１】
ロール表面をエッチングして製版を行う製版用エッチング装置に使用する製版用エッチング装置の補助装置であって、
前記エッチングを行うために噴射されるエッチング液の噴射量を測定する測定機構を備える製版用エッチング装置の補助装置。
【請求項２】
請求項１に記載の製版用エッチング装置の補助装置において、
前記製版用エッチング装置は、前記エッチング液を噴射する噴射部を備え、
前記測定機構を、前記噴射部の下方に移動させることができ、かつ、前記噴射部が噴射するエッチング液に当たらない場所に移動させることができる移動機構を備えること、
を特徴とする製版用エッチング装置の補助装置。
【請求項３】
請求項１又は請求項２に記載の製版用エッチング装置の補助装置において、
前記製版用エッチング装置は、前記エッチング液を溜めるタンク部を備え、
前記測定機構に溜まった前記エッチング液を前記タンク部に戻す戻し機構を備えること、
を特徴とする製版用エッチング装置の補助装置。
【請求項４】
請求項３に記載の製版用エッチング装置の補助装置において、
前記戻し機構は、前記測定機構を反転させて前記エッチング液を前記タンク部に戻すこと、
を特徴とする製版用エッチング装置の補助装置。
【請求項５】
請求項１から請求項４までのいずれか１項に記載の製版用エッチング装置の補助装置において、
前記測定機構は、前記ロールの幅方向対して複数設けられていること、
を特徴とする製版用エッチング装置の補助装置。
【請求項６】
請求項１から請求項５までのいずれか１項に記載の製版用エッチング装置の補助装置において、
前記製版用エッチング装置は、前記エッチング液を噴射する複数の噴射部を備え、
前記測定機構は、前記複数の噴射部に対応するように複数設けられていること、
を特徴とする製版用エッチング装置の補助装置。
【請求項７】
請求項１から請求項６までのいずれか１項に記載の製版用エッチング装置の補助装置において、
前記エッチング液の噴射量を調整する調整機構を備えること、
を特徴とする製版用エッチング装置の補助装置。
【請求項８】
請求項７に記載の製版用エッチング装置の補助装置において、
前記調整機構は、噴射される前記エッチング液が通過する流路の断面積を相似的に変化させて、前記エッチング液の噴射量を調整すること、
を特徴とする製版用エッチング装置の補助装置。
【請求項９】
請求項７又は請求項８に記載の製版用エッチング装置の補助装置において、
前記製版用エッチング装置は、前記エッチング液を噴射する複数の噴射部を備え、
前記調整機構は、前記複数の噴射部に対応するように複数設けられていること、
を特徴とする製版用エッチング装置の補助装置。
【請求項１０】
請求項１から請求項９までのいずれか１項に記載の製版用エッチング装置の補助装置において、
前記測定機構、前記移動機構、前記戻し機構及び前記調整機構のうち少なくとも１つは、少なくともその表面に耐腐食性を備えること、
を特徴とする製版用エッチング装置の補助装置。
【請求項１１】
請求項１から請求項１０までのいずれか１項に記載の製版用エッチング装置の補助装置において、
前記ロールは、グラビア印刷ロールであること、
を特徴とする製版用エッチング装置の補助装置。
【発明の詳細な説明】
【技術分野】
【０００１】
本発明は、ロール表面をエッチングして製版を行う製版用エッチング装置に使用する製版用エッチング装置の補助装置に関するものである。
【背景技術】
【０００２】
従来、この種の製版用エッチング装置には、グラビア印刷ロールのエッチング装置があり、このエッチング装置は、スプレーノズルからエッチング液を噴射して、ロール金属面をエッチングするものであり、そのスプレーノズルは、ロール金属面に対して等間隔に複数個配置されている（例えば、特許文献１）。
このとき、各スプレーノズルのエッチング液の噴射量（噴射力）が異なると、エッチングのムラが生じてしまう。
【０００３】
そこで、エッチング液の噴射量を一定に保つための機構として、ロール金属面とスプレーノズルとの距離を一定にするための機構（スプレーノズルがロール金属面に対して上下に可動する機構）や、噴射量分布を均一にするための機構（スプレーノズルがロール金属面に対して面長方向に揺動する機構）が設けられている場合がある。
【０００４】
しかし、従来のエッチング装置では、装置全体で噴射量を一定に保つ機構はあるが、１つ１つのスプレーノズルの噴射量を一定に保つための機構はなく、各スプレーノズルの噴射量は、装置設計に依存していた。
【０００５】
実際の装置運用では、各スプレーノズルの噴射量が一定になっているか否かは、作業者の目視確認に依存している。例えば、スプレーノズルが完全に詰まっている場合や、極端に噴射量が少ない場合には、作業者が任意にスプレーノズルの清掃を行って対処しているが、エッチングのムラが生じないための一定の噴射量を保っているか否かは、把握しきれていない状況にある。
【０００６】
このため、エッチングを行った後に、ロール金属面のエッチング状態を観察し、エッチングのムラがあれば、スプレーノズルを清掃したり取り替えたりするといった事後処理的な作業を行っていた。
その結果、エッチングのムラを生じたグラビア印刷ロールは、スプレーノズルを清掃などした後に、新たに作り直さなければならず、時間や材料費などのロスを発生させ、生産効率を著しく低下させる要因の１つとなっていた。
【特許文献１】特開平９−２６８３８４号公報
【発明の開示】
【発明が解決しようとする課題】
【０００７】
本発明の課題は、時間や材料費などのロスを発生させず、生産効率を向上させることができる製版用エッチング装置の補助装置を提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、ロール（Ｒ）表面をエッチングして製版を行う製版用エッチング装置（１００）に使用する製版用エッチング装置の補助装置であって、前記エッチングを行うために噴射されるエッチング液の噴射量を測定する測定機構（１１）を備える製版用エッチング装置の補助装置である。
請求項２の発明は、請求項１に記載の製版用エッチング装置の補助装置において、前記製版用エッチング装置（１００）は、前記エッチング液を噴射する噴射部（１０２）を備え、前記測定機構（１１）を、前記噴射部（１０２）の下方に移動させることができ、かつ、前記噴射部（１０２）が噴射するエッチング液に当たらない場所に移動させることができる移動機構（１３）を備えること、を特徴とする製版用エッチング装置の補助装置である。
請求項３の発明は、請求項１又は請求項２に記載の製版用エッチング装置の補助装置において、前記製版用エッチング装置（１００）は、前記エッチング液を溜めるタンク部を備え、前記測定機構（１１）に溜まった前記エッチング液を前記タンク部に戻す戻し機構（１４）を備えること、を特徴とする製版用エッチング装置の補助装置である。
請求項４の発明は、請求項３に記載の製版用エッチング装置の補助装置において、前記戻し機構（１４）は、前記測定機構（１１）を反転させて前記エッチング液を前記タンク部に戻すこと、を特徴とする製版用エッチング装置の補助装置である。
請求項５の発明は、請求項１から請求項４までのいずれか１項に記載の製版用エッチング装置の補助装置において、前記測定機構（１１）は、前記ロール（Ｒ）の幅方向対して複数設けられていること、を特徴とする製版用エッチング装置の補助装置である。
請求項６の発明は、請求項１から請求項５までのいずれか１項に記載の製版用エッチング装置の補助装置において、前記製版用エッチング装置（１００）は、前記エッチング液を噴射する複数の噴射部（１０２）を備え、前記測定機構（１１）は、前記複数の噴射部（１０２）に対応するように複数設けられていること、を特徴とする製版用エッチング装置の補助装置である。
請求項７の発明は、請求項１から請求項６までのいずれか１項に記載の製版用エッチング装置の補助装置において、前記エッチング液の噴射量を調整する調整機構（１５）を備えること、を特徴とする製版用エッチング装置の補助装置である。
請求項８の発明は、請求項７に記載の製版用エッチング装置の補助装置において、前記調整機構（１５）は、噴射される前記エッチング液が通過する流路（１０１）の断面積を相似的に変化させて、前記エッチング液の噴射量を調整すること、を特徴とする製版用エッチング装置の補助装置である。
請求項９の発明は、請求項７又は請求項８に記載の製版用エッチング装置の補助装置において、前記製版用エッチング装置（１００）は、前記エッチング液を噴射する複数の噴射部（１０２）を備え、前記調整機構（１５）は、前記複数の噴射部（１０２）に対応するように複数設けられていること、を特徴とする製版用エッチング装置の補助装置である。
請求項１０の発明は、請求項１から請求項９までのいずれか１項に記載の製版用エッチング装置の補助装置において、前記測定機構（１１）、前記移動機構（１３）、前記戻し機構（１４）及び前記調整機構（１５）のうち少なくとも１つは、少なくともその表面に耐腐食性を備えること、を特徴とする製版用エッチング装置の補助装置である。
請求項１１の発明は、請求項１から請求項１０までのいずれか１項に記載の製版用エッチング装置の補助装置において、前記ロールは、グラビア印刷ロール（Ｒ）であること、を特徴とする製版用エッチング装置の補助装置である。
【発明の効果】
【０００９】
本発明によれば、エッチング液の噴射量を測定する測定機構を備えるので、エッチングを行う前にエッチング液の噴射量を予め把握することができ、エッチングのムラを生じさせず、時間や材料費などのロスがない。
また、エッチング液の噴射量を調整する調整機構を備えるので、エッチング液の噴射量を事前に調整することができ、エッチングのムラを生じさせず、生産効率を向上させることができる。
さらに、測定機構を移動させる移動機構や、エッチング液をタンク部に戻す戻し機構を備えるので、作業性が向上する。
【発明を実施するための最良の形態】
【００１０】
本発明は、時間や材料費などのロスを発生させず、生産効率を向上させることができる製版用エッチング装置の補助装置を提供するという目的を、エッチング液の噴射量を定量的に測定する計量容器と、各スプレーノズルのエッチング液の噴射量を調整する噴射量調整器とを備えることにより実現する。
【実施例】
【００１１】
以下、図面等を参照して、本発明の実施例について、さらに詳しく説明する。
図１は、本発明による製版用エッチング装置の補助装置の実施例を示す図であって、図１（Ａ）は、製版用エッチング装置及びグラビア印刷ロールを示す図であり、図１（Ｂ）は、製版用エッチング装置の補助装置を示す図であり、図１（Ｃ）は、噴射量調整器の上面図である。
図１（Ａ）に示すように、製版用エッチング装置１００は、グラビア印刷ロールＲの表面をエッチングして製版を行う装置であって、エッチング液を溜めるエッチング槽（タンク部）を有する装置本体（不図示）と、エッチング槽から後述するスプレーノズル（噴射部）１０２に、エッチング液を供給する配管（流路）１０１と、配管１０１の先端に設けられ、エッチング液を噴射する複数のスプレーノズル１０２などとを備える。
【００１２】
一方、図１（Ｂ）に示すように、本実施例による製版用エッチング装置の補助装置１０は、上述した製版用エッチング装置１００に使用する装置であり、計量容器（測定機構）１１と、退避機構（移動機構）１３と、戻し機構１４と、噴射量調整器（調整機構）１５などとを備える。
【００１３】
計量容器１１は、エッチングを行うために噴射されるエッチング液の噴射量を定量的に測定する容器であり、その側面には、噴射量を計量するための目盛りを有している。
また、計量容器１１は、複数のスプレーノズル１０２に対応するように複数設けられており、各計量容器１１は、下方の台座１２に取り付けられている。
【００１４】
退避機構１３は、台座１２に取り付けられた計量容器１１をレール上で移動させることができる機構であって、噴射量調整時には、スプレーノズル１０２の下方に計量容器１１を移動させることができ、かつ、噴射量調整時以外には、スプレーノズル１０２が噴射するエッチング液に当たらない場所に計量容器１１を退避させることができる。
また、退避機構１３は、計量容器１１が取り付けられた台座１２を移動させるので、複数の計量容器１１を同時かつ同一方向に移動させることができる。
【００１５】
戻し機構１４は、計量容器１１に溜まったエッチング液をエッチング槽に戻すための機構であって、台座１２を軸に、計量容器１１及び台座１２を１８０度反転させてエッチング液をエッチング槽に戻すものである。例えば、エッチング槽が、退避機構１３のレールの下方にある場合には、そのエッチング槽の上方で計量容器１１を１８０度反転させればよいが、エッチング槽が別の場所にある場合には、退避機構１３のレールの下方に、所定のタンクなどを用意して、そこからポンプなどで吸い上げてエッチング槽に戻す。
【００１６】
噴射量調整器１５は、各スプレーノズル１０２の噴射口の手前の配管１０１に設けられ、各スプレーノズル１０２のエッチング液の噴射量を調整するものである。
また、噴射量調整器１５は、噴射されるエッチング液が通過する配管１０１の断面積を相似的に変化させて、エッチング液の噴射量を調整するものであり、具体的には、図１（Ｃ）に示すように、カメラで使用される光量を絞るためのシャッターのような形状であって、側面に突出した噴射口調整ノブ１６が、内部の回転リング（不図示）などを介して、複数の羽根１７に接続されており、噴射口調整ノブ１６を動かすことによって、複数の羽根１７が動き、噴射口１０２ａの開口径を変化できるようになっている。
【００１７】
計量容器１１、台座１２、退避機構１３、戻し機構１４及び噴射量調整器１５は、エッチング液（例えば、塩化第２銅［４５ｇ／Ｌ（リットル）程度］、塩酸［５０ｇ／Ｌ程度］、３５％過酸化水素水など）に溶解しないようにするため、その表面に耐腐食性を備えるテフロン（イー・アイ・デュポン・ドウ・ヌムール・アンド・カンパニーの登録商標）加工が施してある。
【００１８】
次に、製版用エッチング装置の補助装置１０の運用方法について説明する。
各スプレーノズル１０２のエッチング液の噴射量を均一にする作業は、生産前にオフラインの状態（例えば、製造ラインを立ち上げる前の状態）で、以下の手順で行う。
（１）退避機構１３を用いて、スプレーノズル１０２の噴射口の下方に、計量容器１１をセットする。
（２）スプレーノズル１０２に、一定時間、エッチング液を噴射させる。
（３）スプレーノズル１０２から噴射されたエッチング液を、計量容器１１で回収し、各計量容器１１のエッチング液の噴射量を計量する。
（４）基準とする計量許容値に対して、噴射量の値が外れているスプレーノズル１０２は、噴射量調整器１５で調整する。ここで、計量許容値に対して噴射量が少ない場合には、噴射量を増加させる方向に噴射口調整ノブ１６を動かし、計量許容値に対して噴射量が多い場合には、噴射量を減少させる方向に噴射口調整ノブ１６を動かし、スプレーノズル１０２の噴射量を調整する。
（５）噴射量調整後、戻し機構１４を用いて、計量容器１１に溜められたエッチング液をエッチング槽に戻す。
（６）各スプレーノズル１０２からの噴射量が均一になっているか否かを確認するため、再度、（１）〜（５）の作業を行う。
【００１９】
このように、本実施例の製版用エッチング装置の補助装置１０によれば、以下のような効果がある。
（１）エッチング液の噴射量を定量的に測定する計量容器１１を備えるので、エッチングを行う前にエッチング液の噴射量を予め把握することができ、エッチングのムラを生じさせず、時間や材料費などのロスがない。
（２）エッチング液の噴射量を調整する調整機構を備えるので、エッチング液の噴射量を事前に調整することができ、エッチングのムラを生じさせず、生産効率を向上させることができる。また、スプレーノズル１０２の噴射量のムラによって生じる不良のグラビア印刷ロールを製造してしまうことがなく、材料費などのコストが削減できる。
【００２０】
（３）従来のグラビア印刷ロールのエッチング装置が有していなかった測定機構や調整機構を備えることによって、グラビア印刷ロールＲのエッチングのムラを抑制することができ、生産効率を大幅に向上させることができる。
（４）計量容器１１を移動させる退避機構１３を備えることによって、作業が行いやすくなり、エッチング液をエッチング槽に戻す戻し機構１４を備えることによって、エッチング液の無駄がない。
【００２１】
（５）噴射量調整器１５は、配管１０１の断面積を相似的に変化させて、エッチング液の噴射量を調整するので、エッチング液の噴射量の調整が比較的安定する。
（６）計量容器１１、台座１２、退避機構１３、戻し機構１４及び噴射量調整器１５は、その表面にテフロン加工が施されているので、エッチング液に侵されることがなく、耐久性がよい。
【００２２】
（７）他分野（シャドウマスク、プリント基板など）のエッチング装置で用いられている光センサや流量計を用いる装置に比べて、非常に安価な装置とすることができる。
（８）他分野のエッチング装置は、プラントなどで用いられ、管理棟のような場所で作業員が管理しており、装置付近では無人で作業が行われているが、グラビア印刷ロールのエッチング装置のように、製造ライン付近で作業員が作業を行うものであれば、本実施例のようなコンパクトな補助装置が適している。
（９）近年、高精度の印刷が要求されているグラビア印刷機のグラビア印刷ロールをエッチングするエッチング装置を補助するのに好適である。
【００２３】
（変形例）
以上説明した実施例に限定されることなく、種々の変形や変更が可能であって、それらも本発明の均等の範囲内である。
（１）計量容器１１は、各スプレーノズル１０２からの噴射量が定量評価できるものであればよく、例えば、エッチング液を容積で測定するものではなく、重量で測定するものであってもよい。
（２）計量容器１１は、複数のスプレーノズル１０２に対応するように複数設ける例で説明したが、スプレーノズルが小さくて多数あり、そのスプレーノズルに対応した計量容器を設置できない場合には、グラビア印刷ロールの幅方向対して計量容器を複数設けるようにしてもよい。このようにすれば、噴射量が正常値から外れているスプレーノズルをある程度特定することができ、作業性が向上する。
【００２４】
（３）噴射量調整器１５は、カメラのシャッターのような形状のものの例で説明したが、段階的に配管１０１の断面積を変化させることができるしきい板のような形状のものであってもよい。
（４）噴射量調整器１５は、噴射口調整ノブ１６を手動で動かして噴射量を調整する例で説明したが、例えば、計量容器１１にセンサを設け、そのセンサの出力値に応じて、噴射口調整ノブ１６の移動量を算出し、その算出値に基づいて、噴射口調整ノブ１６を自動で動かす制御機構を設けてもよい。
【図面の簡単な説明】
【００２５】
【図１】本発明による製版用エッチング装置の補助装置の実施例を示す図である。
【符号の説明】
【００２６】
１０  製版用エッチング装置の補助装置
１１  計量容器（測定機構）
１２  台座
１３  退避機構（移動機構）
１４  戻し機構
１５  噴射量調整器（調整機構）
１６  噴射口調整ノブ
１７  羽根
１００  製版用エッチング装置
１０１  配管（流路）
１０２  スプレーノズル（噴射部）
１０２ａ  噴射口
Ｒ  グラビア印刷ロール
【図１】
2006283050.tif 000003